(57)【要約】【課題】居室と洗面室とが収納室を介して行き来可能とされると共に、収納室内の収納棚に収納された被収納物の取り出し、および収納棚への被収納物の収納を容易にかつ安全に行うことができる住宅の提供。【解決手段】住宅は、居室２と洗面室３とが収納室４を介して行き来可能とされる。居室２の床面は、収納室４の床面よりも高く形成されている。居室２と収納室４との間の壁部８には、互いに行き来可能とする出入口９が設けられ、この出入口９の収納室側には、収納室４よりも高い床面を有する高床部３４が設けられる。収納室４には、高床部３４に隣接して、被収納物が収納される棚部３８を有する収納棚３７が設けられる。【選択図】図２
2020090874.tif 000002
【特許請求の範囲】
【請求項１】
居室と洗面室とが収納室を介して行き来可能とされる住宅であって、
前記居室の床面は、前記収納室の床面よりも高く形成され、
前記居室と前記収納室との間の壁部には、前記居室と前記収納室とを行き来可能とする出入口が設けられ、
前記出入口の前記収納室側には、前記収納室よりも高い床面を有する高床部が設けられ、
前記収納室には、前記高床部に隣接して、被収納物が収納される棚部を有する収納棚が設けられる
ことを特徴とする住宅。
【請求項２】
前記収納棚内には、前記高床部の床面上に引出可能に棚用踏台部が設けられる
ことを特徴とする請求項１に記載の住宅。
【請求項３】
前記高床部内には、前記収納室の床面上に引出可能に床用踏台部が設けられる
ことを特徴とする請求項１または請求項２に記載の住宅。
【請求項４】
前記高床部の床面と前記居室の床面とが面一とされる
ことを特徴とする請求項１〜３のいずれか１項に記載の住宅。
【請求項５】
前記住宅は、居間、食堂および台所を備えるＬＤＫを有し、
前記ＬＤＫは、床面が前記居室の床面よりも低く形成されており、前記洗面室と行き来可能とされると共に、前記居室と行き来可能とされる
ことを特徴とする請求項１〜４のいずれか１項に記載の住宅。
【発明の詳細な説明】
【技術分野】
【０００１】
本発明は、和室などの居室と洗面室とがウォークインクローゼットなどの収納室を介して行き来可能とされる住宅に関するものである。
【背景技術】
【０００２】
下記特許文献１には、洗面室に隣接してクローゼットが配置され、そのクローゼットに隣接して洋室が配置された集合住宅が開示されている。この集合住宅では、クローゼットの出入口と洗面室の出入口とが共通とされ、クローゼットの出入口と洋室の出入口とが共通とされている。従って、下記特許文献１の集合住宅によれば、洋室と洗面室とがクローゼットを介して行き来可能とすることができるので、生活動線の向上を図ることができる。
【先行技術文献】
【特許文献】
【０００３】
【特許文献１】特開２０１７−２０３３８号公報
【発明の概要】
【発明が解決しようとする課題】
【０００４】
しかしながら、従来の住宅の場合、クローゼットの高い位置にある収納部から物を取り出したり、その収納部に物を収納したりする際には、脚立などの踏台を用いることになり、作業が面倒であった。特に、洋室の床面がクローゼットの床面よりも高い場合において、洋室内の人が作業を行う際には、洋室からクローゼットに一旦降りた後、踏台に乗って作業を行うことになるので、非常に面倒であった。また、洋室内の人が子供の場合には、作業性に加えて、安全面においても問題が生じる。
【０００５】
本発明は、このような問題に鑑みてなされたものであり、その主たる目的は、居室と洗面室とが収納室を介して行き来可能とされることで、居室と洗面室との間の動線を短くすることができると共に、収納室内の収納棚に収納された被収納物の取り出し、および収納棚への被収納物の収納を容易にかつ安全に行うことができる住宅を提供することにある。
【課題を解決するための手段】
【０００６】
上記目的を達成するための本発明に係る住宅は、居室と洗面室とが収納室を介して行き来可能とされる住宅であって、前記居室の床面は、前記収納室の床面よりも高く形成され、前記居室と前記収納室との間の壁部には、前記居室と前記収納室とを行き来可能とする出入口が設けられ、前記出入口の前記収納室側には、前記収納室よりも高い床面を有する高床部が設けられ、前記収納室には、前記高床部に隣接して、被収納物が収納される棚部を有する収納棚が設けられることを特徴とする。
【０００７】
また、本発明に係る住宅は、前記収納棚内には、前記高床部の床面上に引出可能に棚用踏台部が設けられることを特徴とする。
【０００８】
また、本発明に係る住宅は、前記高床部内には、前記収納室の床面上に引出可能に床用踏台部が設けられることを特徴とする。
【０００９】
また、本発明に係る住宅は、前記高床部の床面と前記居室の床面とが面一とされることを特徴とする。
【００１０】
さらに、本発明に係る住宅は、前記住宅は、居間、食堂および台所を備えるＬＤＫを有し、前記ＬＤＫは、床面が前記居室の床面よりも低く形成されており、前記洗面室と廊下を介して行き来可能とされると共に、前記居室と行き来可能とされることを特徴とする。
【発明の効果】
【００１１】
本発明に係る住宅によれば、居室と洗面室とが収納室を介して行き来可能とされ、居室の床面が収納室の床面よりも高く形成されている。また、居室と収納室との間を行き来可能とする出入口の収納室側に、収納室よりも高い床面を有する高床部が設けられ、その高床部に隣接して、収納室内に収納棚が設けられる。従って、居室と洗面室との間の動線を短くすることができる。また、収納棚から被収納物を取り出す作業時、および収納棚に被収納物を収納する作業時に踏み台として高床部を用いることができ、居室から高床部に移動して容易にかつ安全に作業を行うことができる。
【００１２】
また、本発明に係る住宅によれば、高床部に引出可能な棚用踏台部が収納棚内に設けられるので、収納棚のより高い位置にある棚部から被収納物を取り出す作業、およびその棚部に被収納物を収納する作業を容易に行うことができる。
【００１３】
また、本発明に係る住宅によれば、収納室の床面に引出可能な床用踏台部が高床部内に設けられるので、収納室の床面と高床部との間の移動を容易に行うことができる。
【００１４】
また、本発明に係る住宅によれば、高床部の床面と居室の床面とが面一とされるので、居室と高床部との間の移動を安全に行うことができる。
【００１５】
さらに、本発明に係る住宅によれば、ＬＤＫが洗面室および居室と行き来可能とされ、ＬＤＫの床面が居室の床面よりも低く形成されるので、ＬＤＫ、ＬＤＫより床面が高い居室および洗面室を巡回できる動線を確保することができる。
【図面の簡単な説明】
【００１６】
【図１】本発明の住宅の一階の構成を示す間取り図であり、一部を省略して示している。
【図２】図１の住宅の主要部の一部を省略した概略斜視図であり、屋内側から見た状態を示している。
【図３】図１の住宅の主要部の使用状態を示す概略斜視図であり、棚用踏台部を移動させた状態を示している。
【図４】図１の住宅の主要部の使用状態を示す概略斜視図であり、床用踏台部を移動させた状態を示している。
【図５】本発明の住宅の変形例を示す概略斜視図であり、屋内側から見た状態を示している。
【発明を実施するための形態】
【００１７】
以下、本発明の住宅の具体的実施例を図面に基づいて詳細に説明する。
【００１８】
図１および図２は、本発明の住宅の一実施例を示す図であり、図１は一部を省略した一階の間取り図、図２は主要部の一部を省略した概略斜視図である。本実施例の住宅１は、居室２と洗面室３とが収納室４を介して行き来可能とされる。ここでは、住宅１は、二階建てとされるが、これに限定されるものではなく、平屋であってもよいし、三階建て以上であってもよい。また、住宅１は、一戸建て住宅とされるが、マンションなどの集合住宅であってもよい。本実施例では、住宅１の一階に、居室２、洗面室３および収納室４が設けられる。
【００１９】
居室２は、上面視略矩形状に形成されており、住宅１の奥行方向奥側であって、住宅１の間口方向一方側に配置される。この際、居室２は、住宅１の奥行方向奥側の壁部５、および住宅１の間口方向一方側の壁部６が屋外に面している。住宅１の奥行方向奥側に配置される壁部５には、窓７が設けられる。この居室２に隣接して、収納室４が配置される。
【００２０】
収納室４は、上面視略矩形状で居室２よりも小さく形成されており、住宅１の奥行方向において居室２の手前側であって、住宅１の間口方向において居室２の一方側に寄せて配置される。収納室４と居室２との間の壁部８には、収納室４と居室２とを互いに行き来可能とする出入口９が設けられ、この出入口９には開閉可能な扉が設けられる。収納室４の周囲の壁部の内、住宅１の間口方向一方側に配置される壁部１０は、屋外に面している。収納室４および居室２に隣接して、洗面室３が配置される。
【００２１】
洗面室３は、上面視略矩形状に形成されており、住宅１の奥行方向において居室２の手前側であって、住宅１の間口方向において居室２の他方側に寄せて配置される。また、洗面室３は、住宅１の間口方向において収納室４の他方側に配置される。洗面室３と収納室４との間の壁部１１には、洗面室３と収納室４とを互いに行き来可能とする出入口１２が設けられ、この出入口１２には開閉可能な扉が設けられる。従って、本実施例の住宅１では、居室２と収納室４との間に出入口９が設けられると共に、収納室４と洗面室３との間に出入口１２が設けられるので、居室２と洗面室３とが収納室４を介して行き来可能とされる。
【００２２】
図１に示されるように、本実施例の住宅１は、居間１３、食堂１４および台所１５を備えるＬＤＫ１６を有している。このＬＤＫ１６は、上面視略矩形状に形成されており、居室２および洗面室３に隣接して配置される。具体的には、ＬＤＫ１６は、住宅１の間口方向において居室２および洗面室３の他方側に配置され、住宅１の奥行方向奥側の壁部１７および住宅１の間口方向他方側の壁部１８が屋外に面している。住宅１の奥行方向奥側の壁部１７には、窓１９が設けられる。この際、居室２とＬＤＫ１６との間には壁部が設けられておらず、居室２とＬＤＫ１６とは連続した空間とされる。本実施例のＬＤＫ１６では、住宅１の奥行方向手前側から順に、台所１５、食堂１４および居間１３が配置される。洗面室３とＬＤＫ１６との間の壁部には、洗面室３側に凹んで凹部が形成されており、この凹部がＬＤＫ１６側に開口した収納部２０とされる。
【００２３】
ＬＤＫ１６は、住宅１の奥行方向において収納室４よりも手前側へ延出しており、この延出部の周囲の壁部の内、住宅１の間口方向一方側の壁部２１には、廊下２２との間を互いに行き来可能とする出入口２３が設けられる。廊下２２は、住宅１の奥行方向へ沿って配置されて、洗面室３に隣接して配置される。廊下２２と洗面室３との間の壁部２４には、互いに行き来可能とする出入口２５が設けられる。出入口２３，２５にはそれぞれ、開閉可能な扉が設けられる。このようにして、本実施例の住宅１では、居室２とＬＤＫ１６とが連続した空間とされると共に、洗面室３とＬＤＫ１６とが廊下２２を介して行き来可能とされる。従って、ＬＤＫ１６は、居室２と行き来可能とされると共に、洗面室３と行き来可能とされる。
【００２４】
ＬＤＫ１６に隣接して、トイレ２６および収納部２７が配置される。トイレ２６は、廊下２２から入室できるようにして、住宅１の奥行方向においてＬＤＫ１６の手前側であって、住宅１の間口方向においてＬＤＫ１６の一方側に配置される。収納部２７は、住宅１の奥行方向手前側に開口して、住宅１の奥行方向においてＬＤＫ１６の手前側であって、住宅１の間口方向においてトイレ２６の他方側に配置される。
【００２５】
トイレ２６の向かい側には、廊下２２を挟んで、住宅１の一階と二階とを行き来可能とする階段２８が配置される。この階段２８に隣接して、上面視略矩形状のバスルーム２９が配置される。バスルーム２９は、住宅１の奥行方向奥側の端部が洗面室３および収納室４に隣接して配置される。すなわち、バスルーム２９は、住宅１の間口方向において洗面室３の一方側に隣接して配置されると共に、住宅１の奥行方向において収納室４の手前側に隣接して配置される。この際、バスルーム２９は、住宅１の間口方向一方側の壁部３０が屋外に面している。バスルーム２９と洗面室３との間の壁部３１には、互いに行き来可能とする出入口３２が設けられ、この出入口３２には開閉可能な扉が設けられる。なお、本実施例では、洗面室３、バスルーム２９および階段２８で囲まれた箇所に、廊下２２側へ開口した収納部３３が配置される。
【００２６】
ところで、図示では省略されているが、階段２８、廊下２２およびトイレ２６などの手前側には、玄関などが配置される。このような構成の住宅１の一階の上部には、住宅１の二階が重ね合わされて配置される。住宅１の二階には、他の居室やトイレなどが適宜に配置される。
【００２７】
図１および図２に示されるように、住宅１の居室２は、特に問わないが、和室とされ、床面が収納室４の床面よりも高く形成される。ここで、収納室４内には、居室２と収納室４との間の出入口９の収納室４側に、収納室４の床面よりも高い床面を有する高床部３４が設けられる。高床部３４は、水平に配置される板状の床片３５を有しており、床片３５の下方に形成される中空部の収納室４側への開口が見付け面部３６によって閉塞される。高床部３４の床片３５は、住宅１の間口方向一端部が収納棚３７内に配置される。高床部３４の床片３５の上面である床面は、居室２の床面と面一とされる。
【００２８】
住宅１の収納室４には、高床部３４に隣接して、被収納物が収納される棚部３８を有する収納棚３７が設けられる。本実施例では、収納室４内に二つの収納棚３７，３７が上面視略Ｌ字状に設けられる。一方の収納棚３７ａは、収納室４の屋外に面した壁部１０に沿って配置される。収納棚３７ａは、その具体的構成を特に問わないが、たとえば、側板間の上端部同士を架け渡すように天板が設けられると共に、側板の奥側開口部を閉塞するように背板が設けられ、適宜の高さ位置で側板同士を架け渡すように棚部３８が設けられて構成される従来のものとされる。
【００２９】
図２に示されるように、収納棚３７ａは、収納室４の屋外に面する壁部１０に沿って、高床部３４側へ開口して配置される。これにより、前述したように、高床部３４の一部が収納棚３７ａ内に入り込んだ状態とすることができる。この際、高床部３４の床片３５とその上方に配置される棚部３８との間には、空間が形成される。また、本実施例では、収納棚３７ａ内に配置される床片３５に対応する箇所において、見付け面部３６が設けられていない。すなわち、床片３５の下部の中空部と収納棚３７ａ内部とが連通される。他方の収納棚３７ｂは、一方の収納棚３７ａと同様の構成とされ、収納室４とバスルーム２９との間の壁部３９に沿って配置される。なお、収納棚３７に収納される被収納物としては、たとえば、掃除機、ミシンおよびアイロンなどの電化製品、本、座布団、ブランケットおよび子供のおもちゃなどが挙げられる。
【００３０】
収納棚３７ａ内には、高床部３４の床面上に引出可能に棚用踏台部４０が設けられる。棚用踏台部４０は、略矩形ボックス状に形成されており、下端部の四隅にキャスタが設けられる。本実施例では、高床部３４の床片３５の一部が収納棚３７ａ内に入り込んでいるので、床片３５の収納棚３７ａ内へ入り込んだ部分に棚用踏台部４０が載せ置かれる。従って、棚用踏台部４０は、収納棚３７ａ内部の床片３５から収納棚３７ａ外部の床片３５に引出可能とされると共に、収納棚３７ａの外部の床片３５から収納棚３７ａの内部の床片３５に収納可能とされて、収納棚３７ａ内外を移動可能とされる。
【００３１】
収納室４内に配置される高床部３４内には、収納室４の床面上に引出可能に床用踏台部４１が設けられる。床用踏台部４１は、略矩形ボックス状に形成されており、下端部の四隅にキャスタが設けられる。本実施例では、高床部３４の中空部内の下端部に板材で囲まれた略矩形の中空状部４２が形成され、その中空状部４２が見付け面部３６に開口する。従って、床用踏台部４１は、高床部３４の中空状部４２内から見付け面部３６の開口を介して収納室４の床面に引出可能とされると共に、収納室４の床面から見付け面部３６の開口を介して高床部３４の中空状部４２内に収納可能とされて、高床部３４内外を移動可能とされる。なお、本実施例では、棚用踏台部４０および床用踏台部４１に設けられるキャスタには、車輪の回転止めが設けられる。
【００３２】
また、住宅１の居室２は、その床面がＬＤＫ１６の床面よりも高く形成される。逆に言えば、ＬＤＫ１６の床面が居室２の床面よりも低く形成されて、段付き状に形成される。具体的には、和室である居室２は、畳みが敷設された畳部４３と、板材からなる板状部４４とを有し、畳部４３のＬＤＫ１６側に板状部４４が配置される。板状部４４の下方に形成される中空部のＬＤＫ１６側への開口が見付け面部４５によって閉塞される。
【００３３】
居室２の板状部４４には、上面視略Ｌ字形状の腰壁４６が立設される。略Ｌ字状の腰壁４６は、居室２の周囲の壁部の内の住宅１の奥行方向奥側に配置される壁部５から、住宅１の奥行方向手前側へ延出した後、住宅１の間口方向一方側へ延出して形成される。腰壁４６の内側において、板状部４４には、上下方向へ貫通して略矩形状の貫通穴４７が形成される。貫通穴４７の周囲には、板材が上下方向へ沿って配置されており、これにより、居室２には、上方へ開口する略矩形状の凹部４８が形成される。腰壁４６の内側には、貫通穴４７の上方において、板材４９がその板面を上下に向けて配置される。
【００３４】
次に、棚用踏台部４０および床用踏台部４１の使用について説明する。図３および図４は、図１の住宅の主要部の使用状態を示す図であり、図３は棚用踏台部を移動させた状態を屋内側から見た概略斜視図、図４は床用踏台部を移動させた状態を屋内側から見た概略斜視図である。
【００３５】
図３に示されるように、棚用踏台部４０は、前述したようにして収納棚３７ａから引き出される。この際、棚用踏台部４０は、収納棚３７ａから完全に引き出してもよいし、一部が収納棚３７ａ内に配置された状態で引き出してもよい。引き出した後、棚用踏台部４０は、キャスタの回転止めにより車輪が固定される。この状態で、棚用踏台部４０に乗って、収納棚３７ａの高い位置にある棚部３８の被収納物を取り出したり、収納棚３７ａの高い位置にある棚部３８に被収納物を収納したりする。使用後には、棚用踏台部４０は、前述したようにして収納棚３７ａ内に収納される。
【００３６】
図４に示されるように、床用踏台部４１は、前述したようにして高床部３４内から引き出される。この際、床用踏台部４１は、高床部３４から完全に引き出してもよいし、一部が高床部３４内に配置された状態で引き出してもよい。引き出した後、床用踏台部４１は、回転止めによりキャスタの車輪が固定される。これにより、収納室４の床面と高床部３４との間に階段が設けられることになる。この状態で、収納室４の床面から床用踏台部４１を介して高床部３４へ上がったり、高床部３４から床用踏台部４１を介して収納室４の床面へ下りたりする。使用後は、床用踏台部４１は、前述したように高床部３４内に収納される。なお、床用踏台部４１は、階段としてだけではなく、棚用の踏台としても利用することができる。たとえば、収納棚３７ａに向かって右側部分の踏台や、収納棚３７ｂの踏台としても用いることができる。
【００３７】
本実施例の住宅１の場合、居室２の床面が収納室４の床面よりも高く形成されると共に、居室２と収納室４との間の出入口９の収納室４側に高床部３４が設けられ、高床部３４に隣接して収納棚３７が配置される。従って、収納棚３７から被収納物を取り出したり、収納棚３７に被収納物を収納したりする際において、高床部３４を踏台として利用することができ、別途踏台を用いる場合と比較して、容易にかつ安全に作業を行うことができる。また、本実施例の住宅１の場合、シンクや洗濯機などが配置される洗面室３と居室２とが、ウォークインクローゼットなどである収納室４を介して行き来可能とされる。これにより、居室２と洗面室３との間の動線を短くすることができる。従って、たとえば、乾燥機にかけた洗濯物を居室２に運んでアイロン掛けをする際に、その移動を楽に行うことができる。この際、収納室４内にアイロンを収納しておけば、アイロンの持ち運びも容易に行うことができる。また、居室２で子供を遊ばせている場合、洗濯中において洗面室３に保護者がいても、子供の様子を容易に確認することができる。
【００３８】
また、本実施例の住宅１の場合、棚用踏台部４０が設けられるので、収納棚３７の高い位置にある被収納物を取り出したり、収納棚３７の高い位置に被収納物を収納したりする際に、それらの作業を容易に行うことができる。また、本実施例の住宅１の場合、棚用踏台部４０が収納棚３７内外を移動可能とされるので、棚用踏台部４０を用いない場合に棚用踏台部４０が邪魔になることがない。また、本実施例の住宅１の場合、高床部３４の床片３５が棚用踏台部４０の移動路とされるので、簡易な構成とすることができる。また、本実施例の住宅１の場合、収納棚３７内と高床部３４内とが連通されるので、その部分を収納スペースとして用いることができ、収納棚３７の収納スペースが小さくならない。
【００３９】
また、本実施例の住宅１の場合、床用踏台部４１が設けられるので、収納室４の床面と高床部３４の床面との間の移動を容易にかつ安全に行うことができる。また、本実施例の住宅１の場合、床用踏台部４１が高床部３４内に収納することができるので、床用踏台部４１を用いない場合に床用踏台部４１が邪魔になることがない。また、本実施例の住宅１の場合、床用踏台部４１は、階段としてだけでなく、収納棚３７の踏台としても用いることができ、階段と踏台とを共通化することができる。
【００４０】
また、本実施例の住宅１の場合、高床部３４の床面と居室２の床面とが面一とされる。具体的には、高床部３４の床面と居室２の畳部４３の床面が面一とされる。従って、居室２と高床部３４との間に段差が形成されず、居室２と高床部３４との間を安全に移動することができる。また、本実施例の住宅１の場合、居室２と洗面室３とが収納室４を介して行き来可能とされると共に、ＬＤＫ１６が居室２および洗面室３と行き来可能とされる。従って、居室２、洗面室３、収納室４およびＬＤＫ１６を巡回する動線を確保することができ、効率的な家事動線を形成することができる。
【００４１】
また、本実施例の住宅１の場合、居室２とＬＤＫ１６との間に段差が形成されると共に、周囲の壁部よりも低い腰壁４６が設けられるので、居室２とＬＤＫ１６とを連続した空間としつつ仕切ることができる。さらに、本実施例の住宅１の場合、腰壁４６に板材４９が設けられると共に、居室２に凹部４８が形成されるので、凹部４８に足を放り出して居室２の床面に腰かけて、板材４９を机として用いることができる。
【００４２】
本発明の住宅は、前記実施例の構成に限らず、適宜変更可能である。たとえば、前記実施例では、腰壁４６が机として用いられたが、腰壁４６をテレビボードとして用いてもよい。図５は、本発明の住宅の変形例を示す概略斜視図であり、屋内側から見た状態を示している。本変形例では、居室２の板状部４４に腰壁４６が立設され、その腰壁４６よりもＬＤＫ１６側の板状部４４がテレビの設置箇所とされる。また、居室２の下方の中空部に、レコーダなどのテレビの付属機器の設置スペース５０が設けられる。この設置スペース５０は、板状部４４の中空部内において板材で囲まれて中空状に形成され、見付け面部４５に開口する。
【産業上の利用可能性】
【００４３】
本発明の住宅は、居室と洗面室とが収納室を介して行き来可能とされる住宅に好適に適用される。
【符号の説明】
【００４４】
１  住宅
２  居室
３  洗面室
４  収納室
８  壁部
９  出入口
１３  居間
１４  食堂
１５  台所
１６  ＬＤＫ
３４  高床部
３７  収納棚
３８  棚部
４０  棚用踏台部
４１  床用踏台部
【図１】
2020090874.tif 000003
【図２】
2020090874.tif 000004
【図３】
2020090874.tif 000005
【図４】
2020090874.tif 000006
【図５】
2020090874.tif 000007